(57)【要約】【課題】  うろこ取り刃により剥いだうろこの飛散を防止する飛散防止構造、さらにはうろこが利用者の平面視において視界を遮らない位置に除去できる構造を備えたうろこ取り具を提供する。【解決手段】  薄板刃１０の刃部１１は進行方向に交叉するように設けられており魚の体表面からうろこを削り取る。刃部１１の進行方向前方には間隙１２があり刃部１１が削り取ったうろこを上方へ導く。飛散遮蔽板２０が間隙１２の上方に設けられており、うろこがさらに上方へ飛び散らないようにうろこの飛散を遮蔽する。飛散遮蔽板２０の後部にうろこ抜き開口部３０を備え、飛散遮蔽板２０に突き当たったうろこが進行方向に対して後方側に抜け出るようにしている。【選択図】図１
2007301352.tif 000002
【特許請求の範囲】
【請求項１】
進行方向に交叉するように設けられ、魚の体表面からうろこを削り取る刃部と、前記刃部の前記進行方向前方に設けられ、前記刃部が削り取った前記うろこを上方へ導くための間隙とを備えた薄板刃と、
前記間隙の上方に設けられ、前記うろこがさらに上方へ飛び散らないようにうろこの飛散を遮蔽する飛散遮蔽板と、
前記飛散遮蔽板に突き当たった前記うろこが前記進行方向に対して後方側に抜け出るように前記飛散遮蔽板の後部に設けられたうろこ抜き開口部を備えたことを特徴とするうろこ取り具。
【請求項２】
前記刃部の一部を平刃とし、残りをのこぎり刃としたことを特徴とする請求項１に記載のうろこ取り具。
【請求項３】
前記飛散遮蔽板に突き当たった前記うろこが前記進行方向に対して側方側に抜け出るように前記うろこ抜き開口部を前記飛散遮蔽板の側部まで設けたことを特徴とする請求項１または２に記載のうろこ取り具。
【請求項４】
前記薄板刃において第２の刃部を前記刃部に対して略平行に設けた請求項１から３のいずれかに記載のうろこ取り具。
【請求項５】
前記刃部と同様の構造の第２の刃部と、前記飛散遮蔽板と同様の構造の第２の飛散遮蔽板と、前記うろこ抜き開口部と同様の構造の第２のうろこ抜き開口部とをそれぞれ略直角に設けた請求項１から３のいずれかに記載のうろこ取り具。
【請求項６】
前記飛散遮蔽板が前記薄板刃に対して角度を持ち、前記うろこが突き当たって前記進行方向に対して抜け出る方向を制御せしめたことを特徴とする請求項１から５のいずれかに記載のうろこ取り具。
【発明の詳細な説明】
【技術分野】
【０００１】
本発明は、魚の体表面を掻いて、うろこを周囲に飛散させずにうろこをそぎ取るうろこ取り具に関する。
【背景技術】
【０００２】
従来のうろこ取り具は、うろこを強い力で掻き剥がすものであるため、うろこを剥がすことはできるが、剥がし取ったうろこが広く周囲に飛散し、作業場の清掃に時間が掛かることとなりうろこ取り作業の負担となっていた。また、例えばうろこのうち所謂“ぜいご”の部分や、魚の頭・鰓の近くなどの部分にある硬いうろこを掻き剥がすのは大変な労力がかかっていた。
従来のうろこ取り具として様々なものが存在する。
【０００３】
第１には、いわゆる熊手状のうろこ取り具が知られている。これは巷で良く用いられている。底面に凹凸刃を持つ刃板に把持部が取り付けられた構造をしており、いわゆる熊手のように刃板により魚の体表面を掻いてうろこを掻き剥がすものである。ただしこのうろこ取り具は多数のうろこが周囲に飛散するので、熊手の上面にカバーを設ける工夫をしたものが開示されている（実用新案登録第３１１５９１５号公報）。
【０００４】
第２は、実用新案登録第３０３２４９０号公報のものが知られている。図１０に示すように、これは、“取っ手部１”と、うろこを削り取る“刃部２”と、刃部２の前方においてうろこを溜めておく“返し部３”とを備えたものである。刃部２を魚の体表面に当てつつうろこを掻き、剥がしたうろこを返し部３の部分に溜めるものとなっている。実用新案登録第３０３２４９０号公報では平面視で略三角形をしており、３辺どの方向でもうろこを掻くことができるものとなっている。
【０００５】
第３には、特開２００２−２８２１４０号公報のものが知られている。図１１に示すように、これは、“把持部１”と“鱗取部２”を持ち、鱗取部２は芯材部分３と弾性体４を備え、弾性体４がうろこの間に入り込みやすいようにテーパー角をもつようになっている。特開２００２−２８２１４０号公報のものは平面視で略四角形をしており、４辺どの方向でもうろこを掻くことができるものとなっている。
【０００６】
第４には、特開２００６−１７５０８５号公報のものが知られている。図１２に示すように、これは特開２００２−２８２１４０号公報の改良であり、特開２００２−２８２１４０号公報と同様“把持部１”と“鱗取部２”を持ち、鱗取部２が芯材部分３と弾性体４を備えているが、“鱗取部２”が略凹面状となっており魚の体表面に沿いやすいよう工夫がされている。特開２００６−１７５０８５号公報のものはやはり平面視で略四角形をしており、４辺どの方向でもうろこを掻くことができるものとなっている。
【０００７】
第５には、特開２００２−３２０４４１号公報のものが知られている。図１３に示すように、上部に手指で握る“握り台１”を持つ上容器と、底面に進行させる方向に交叉する間隙である“刃口１７”を欠設してその一側縁に“刃部１８”を形成した下容器とを合体してなり、上容器と下容器の間に密閉空間である“うろこ溜まり２０”を形成し、刃口１７の上部に密閉空間であるうろこ溜まり２０が位置するようにし、刃口１７とうろこ溜まり２０を導通する構造としている。刃部１８を魚の体表面に当てつつうろこを掻き、剥がしたうろこを刃口１７を介してうろこ溜まり２０の中に溜めるものとなっている。
【０００８】
第６は、実用新案登録第３０７６９１８号公報のものが知られている。図１４に示すように、２枚の“鱗取り刃２”と“鱗取り刃３”と、鱗取り刃２と鱗取り刃３の上方に設けた密閉箱の鱗飛散防止板１を設けたものである。鱗取り刃２と鱗取り刃３のいずれか一方を魚の体表面に当てつつうろこを掻き、剥がしたうろこを密閉箱の鱗飛散防止板１の中に溜めるものとなっている。
【０００９】
【特許文献１】実用新案登録第３１１５９１５号公報
【特許文献２】実用新案登録第３０３２４９０号公報
【特許文献３】特開２００２−２８２１４０号公報
【特許文献４】特開２００６−１７５０８５号公報
【特許文献５】特開２００２−３２０４４１号公報
【特許文献６】実用新案登録第３０７６９１８号公報
【発明の開示】
【発明が解決しようとする課題】
【００１０】
上記従来のうろこ取り具にはそれぞれ下記のような問題がある。
第１の実用新案登録第３１１５９１５号公報の技術では、刃面が熊手状の凹凸刃となっており、この刃面で掻くとうろこは剥がれるが刃面が熊手状の凹凸刃であるのでうろこは四方八方に飛散する。実用新案登録第３１１５９１５号公報の技術では上面にカバーを持っているが少なくとも以下の２つの問題がある。第１の問題は熊手状の刃面で掻くとうろこは四方八方に飛散するため必ずしもカバーでうろこの周囲への飛散を防止することはできない。第２の問題は上方に飛散してカバーに突き当たって止まったうろこは刃面の上面に溜まるので、魚の体表面およびうろこ取りを行っている刃の手元の視界が遮られてしまい見にくいという問題がある。目的は魚の体表面からうろこを取るものであるので、残っているうろこに対して刃がきちんと当たるように直接目視できた方が良いところ、うろこ溜まりにより視界が遮られてしまう。
【００１１】
第２の実用新案登録第３０３２４９０号公報の技術では、刃部２が底面の周縁に設けられており進行方向に対して最前面に位置し、返し部３がうろこ溜まりとなっている。実用新案登録第３０３２４９０号公報の技術では上面にカバーを持っているが少なくとも以下の２つの問題がある。第１の問題はうろこは返し部３で飛散が止められて返し部３にうろこが溜まるが、うろこが溜まると直下に落ちることとなり魚の体表面にうろこが落ちてしまうという問題である。第２の問題は返し部３に溜まったうろこによって刃先近くの視界が遮られてしまい見にくいという問題である。目的は魚の体表面からうろこを取るものであるので、魚の体表面にうろこが落ちることは好ましくなく、また、うろこ溜まりにより刃先近くの視界が遮られてしまうのも好ましくない。
【００１２】
第３の特開２００２−２８２１４０号公報の技術では、弾性体４は鱗取部２の周縁に設けられており進行方向に対して最前面に位置し、何のうろこ飛散を防止するカバーのようなものが設けられていないため少なくとも以下の２つの問題がある。第１の問題は進行方向に対して最前面に位置する鱗取部２で掻き、飛散防止カバーのような構造がないためうろこが飛散するという問題である。第２の問題はうろこ溜まりのような構造がなく上方に飛散したうろこがそのまま魚体表面に落ちることとなり魚の体表面にうろこが付着するという問題である。目的は魚の体表面からうろこを取るものであるので、魚の体表面にうろこが落ちることは好ましくない。
【００１３】
第４の特開２００６−１７５０８５号公報も鱗取部２が凹面状になっているものの第３の特開２００２−２８２１４０号公報の技術が持っている問題は解消されない。
【００１４】
第５の特開２００２−３２０４４１号公報の技術では、刃部１８で掻いて剥いだうろこを刃口１７の間隙から上容器と下容器の間に密閉空間であるうろこ溜まり２０の中に溜めるものとなっている。特開２００２−３２０４４１号公報の技術では少なくとも以下の問題がある。上方に飛散して上容器に突き当たって止まったうろこは上容器と下容器の間のうろこ溜まり２０に溜まるので、たとえ構造物を透明素材で製作しても、使用者が平面視において魚およびうろこ取りを行っている刃の手元の視界がうろこで遮られてしまい見にくいという問題がある。
【００１５】
第６の実用新案登録第３０７６９１８号公報の技術では、鱗取り刃２と鱗取り刃３のいずれかで掻いて剥いだうろこを鱗取り刃２と鱗取り刃３の上方に設けた密閉箱の鱗飛散防止板１に間隙から入って鱗飛散防止板１内に溜まるものとなっている。実用新案登録第３０７６９１８号公報では少なくとも以下の２つの問題がある。第１の問題は上方に飛散して鱗飛散防止板１に突き当たって止まったうろこは箱状の鱗飛散防止板１内に溜まるため、たとえ鱗飛散防止板１全体を透明素材で製作しても、使用者が平面視において魚およびうろこ取りを行っている刃の手元の視界がうろこで遮られてしまい見にくいという問題がある。第２の問題は箱状の鱗飛散防止板１内にうろこが溜まると、直下に間隙があるため鱗飛散防止板１の間隙から逆戻りして直接魚の体表面にうろこが落ちてしまうという問題がある。
【００１６】
本発明は、上記従来の問題点に鑑み案出されたものであって、うろこ取り刃により掻いて剥いだうろこの飛散を防止する飛散防止構造と、飛散防止後のうろこが間隙などから逆戻りして直下に落ちない構造、さらには、飛散防止後のうろこが利用者の平面視において魚とうろこ取り刃の視界を遮らない位置に除去できる構造を備えたうろこ取り具を提供することを目的とする。
【課題を解決するための手段】
【００１７】
上記目的を達成するため、本発明のうろこ取り具は、
進行方向に交叉するように設けられ、魚の体表面からうろこを削り取る刃部と、前記刃部の前記進行方向前方に設けられ、前記刃部が削り取った前記うろこを上方へ導くための間隙とを備えた薄板刃と、
前記間隙の上方に設けられ、前記うろこがさらに上方へ飛び散らないようにうろこの飛散を遮蔽する飛散遮蔽板と、
前記飛散遮蔽板に突き当たった前記うろこが前記進行方向に対して後方側に抜け出るように前記飛散遮蔽板の後部に設けられたうろこ抜き開口部を備えたことを特徴とする。
なお、飛散遮蔽板は透明素材で構成することが好ましい。
上記構成により、進行方向に交叉するように設けられた刃部により掻き剥がされたうろこが間隙から上方に導かれ、飛散遮蔽板に当たるためうろこが飛散しない。さらに、飛散遮蔽板に突き当たったうろこがうろこ抜き開口部から進行方向に対して後方側に抜け出るように制御されるため飛散防止後のうろこが利用者の平面視において魚とうろこ取り刃の視界を遮らない位置に除去でき、うろこが間隙から逆戻りして魚体表面に落ちることもない。
【００１８】
次に、上記構成において、前記刃部の一部を平刃とし、残りをのこぎり刃とすることが好ましい。
上記構成により、一つの刃先で多様な部位のうろこ取りに対応できる。つまり、のこぎり刃によって所謂“ぜいご”の部分や魚の頭・鰓の近くなどの部分にある硬いうろこを効率的にとることができ、平刃によって比較的柔らかいうろこを効率的にとることができる。
【００１９】
次に、上記構成において、前記飛散遮蔽板に突き当たった前記うろこが前記進行方向に対して側方側に抜け出るように前記うろこ抜き開口部を前記飛散遮蔽板の側部まで設けた構造とすることが好ましい。
上記構成により、利用者がうろこ取りを行う際に多少斜め方向に魚の体表面を掻いても後方側または側方側のうろこ抜き開口部から上手にうろこが抜き出るように制御できる。
【００２０】
次に、上記構成に工夫を加え、前記薄板刃において第２の刃部を前記刃部に対して略平行に設ける構成も好ましい。
上記構成により、第１の刃部の後方に第２の刃部を設け、いわゆる二枚刃としてより一層うろこ除去を確実に行うことができる。なお、２つの刃のうち一方の刃を平刃とし、他方の刃をのこぎり刃とする構成も可能である。
【００２１】
また、上記構成において、前記刃部と同様の構造の第２の刃部と、前記飛散遮蔽板と同様の構造の第２の飛散遮蔽板と、前記うろこ抜き開口部と同様の構造の第２のうろこ抜き開口部とをそれぞれ略直角に設ける構成も好ましい。
上記構成により、利用者の立ち位置を変えたり、魚の載せ位置や方向を変えたり、うろこ取り具の持つ角度を変えたりしても刃部が進行方向に交叉するものとなり、利用時の柔軟性が高まる。
【００２２】
次に、上記構成において、前記飛散遮蔽板が前記薄板刃に対して角度を持ち、前記うろこが突き当たって前記進行方向に対して抜け出る方向を制御せしめる構造とすることもできる。
上記構成により、うろこが上方に飛散して飛散遮蔽板に突き当たるところ、飛散遮蔽板の底面に角度がついているため、跳ね返る方向を所定方向に制御することが可能となる。例えば、飛散遮蔽板の底面角度を把持部手前側に向けて高くなるように角度を付けておけば、飛散遮蔽板に突き当たったうろこは把持部の手前側に跳ね返りやすくなり、うろこが利用者手前側のうろこ抜き開口部から抜け出やすくなる。
【発明の効果】
【００２３】
本発明のうろこ取り具によれば、きわめて簡単な構造を持ち、飛散遮蔽板によりうろこが飛散せず、うろこ抜き開口部からうろこが抜け出るように制御され、利用者の平面視において魚とうろこ取り刃の視界を遮らない位置にうろこを除去でき、うろこが逆戻りして魚体表面に落ちることもない。
【発明を実施するための最良の形態】
【００２４】
以下、図面を参照しつつ、本発明のうろこ取り具の実施形態を説明する。ただし、本発明の技術的範囲は以下の実施形態に示した具体的な用途や形状・寸法などには限定されない。
【実施例１】
【００２５】
実施例１として本発明の第１のうろこ取り具の構成例を示す。
図１は、本発明の第１のうろこ取り具１００の構成例を示す図である。６面図で示している。この構成例では飛散遮蔽板２０は透明素材で製作されている。なお付番の“１００”は図示していないが、うろこ取り具全体を指している。
図１に示すように、本発明のうろこ取り具は、薄板刃１０、飛散遮蔽板２０、うろこ抜き開口部３０、把持部４０を備えている。この例では平面視において左側がうろこ取り作業の進行方向となっている。
【００２６】
薄板刃１０は、刃部１１と間隙１２を備えている。刃部１１は、進行方向に交叉するように設けられ、魚の体表面からうろこを削り取る部分である。刃部１１の刃先は薄板刃１０全体の底面よりもやや下に位置し、進行方向に対向する角度で設けておくことが好ましい。このような位置関係と角度で設けることにより薄板刃１０全体の底面で魚の体表面を擦るように移動すれば、刃部１１の刃先が所定の角度でうろこに入り込み、うろこを掻き剥がすことができるからである。
【００２７】
間隙１２は、刃部１１の進行方向前方に設けられており、刃部１１が削り取ったうろこを上方へ導くための間隙であり、この実施例１では間隙１２はスリット状になっている。うろこ取り具全体を進行方向に素早く動かしつつ魚の体表面を薄板刃１０で擦ると刃部１０で剥がされたうろこのほとんどは上方に跳ね上がり、間隙１２から上に導かれる。
【００２８】
飛散遮蔽板２０は、間隙１２の上方を覆うように設けられており、うろこがさらに上方へ飛び散らないようにうろこの飛散を遮蔽するものである。刃部１０で剥がされて上方に跳ね上がったうろこは飛散遮蔽板２０に突き当たってそれ以上上方には飛散しない。飛散遮蔽板２０は透明素材で製作しておくことが好ましい。透明素材とすれば利用者の平面視において薄板刃１０、特に刃部１１と魚の体表面のうろこが透けて目視でき、うろこ取り作業がスムーズに行うことができる。
【００２９】
うろこ抜き開口部３０は、飛散遮蔽板の後部に設けられている開口部分である。飛散遮蔽板２０に突き当たったうろこが進行方向に対して後方側に抜け出るように飛散遮蔽板の後部に設けられたものである。
なお、本実施例１では、うろこ抜き開口部３０を飛散遮蔽板２０の側部まで設けた構成例となっている。うろこ抜き開口部３０を飛散遮蔽板２０の側部まで設けておくことにより、飛散遮蔽板２０に突き当たったうろこが進行方向に対して側方側に跳ねたものは側方側からも抜け出るようになっている。
【００３０】
把持部４０は利用者が握ることによりうろこ取り具全体を操作するための把持部であるが、この実施例１では進行方向に対して直角に設けられている。なお、図中“４０”という付番は図示していない。
把持部４０はグリップ部４１と支持部４２とスペーサ４３を備え、支持部４２は飛散遮蔽板２０に固定されグリップ４１と飛散遮蔽板２０とを接続している。スペーサ４３は支持部４２と飛散遮蔽板２０と薄板刃１０を接続している。
【００３１】
図２は、うろこが薄板刃１０と飛散遮蔽板２０の間を通りうろこ抜け開口部３０から抜け出るまでの動きを模式的に示す図である。うろこの動きが分かりやすいように刃部１１と間隙１２が分かりやすいよう横断面の端面図で模式的に示している。正面方向から見た方向で描いた。また、把持部との関係が分かりやすいようにグリップ４１は描いている。魚の体表面から刃部１１により剥がされたうろこは間隙１２から薄板刃１０の上面側に入り、飛散遮蔽板２０により上方への移動が制限され、うろこ取り具全体の移動も相まって後方に移動し、うろこ抜き開口部３０から抜け出るように移動する。うろこの動きを以上の流れに制御することによりうろこが飛散することなく、かつ、利用者の平面視において刃部１１付近にうろこが溜まって視界を遮ることもなくなる。
【００３２】
うろこがうろこ抜き開口部３０から抜け出た後の魚との関係であるが、薄板刃の幅にもよるが刃部１１を往復させつつ徐々に左側に進んでゆくとうろこが確実に剥がされて行くので、たとえうろこが魚の体表面に落ちても既にうろこが除去された後であるのでうろこ取りの邪魔とはならない。うろこ取り作業終了時に魚の体表面を布などでふき取ったり水で洗ったりすれば最終的にうろこをすべて除去することができる。
【実施例２】
【００３３】
実施例２として本発明の第２のうろこ取り具の構成例を示す。
図３は、本発明の第２のうろこ取り具１００ａの構成例を示した図である。６面図で示している。この構成例でも飛散遮蔽板２０は透明素材で製作されている。なお付番の“１００ａ”は図示していないがうろこ取り具全体を指している。
本発明の第２のうろこ取り具１００ａの構成は、薄板刃１０ａを除き、飛散遮蔽板２０、うろこ抜け開口部３０、把持部４０は同様の構成でよく、例えば図１に示したものと同様の形状である。
実施例２の刃部１１ａは、薄板刃１０ａの進行方向最前部の縁に設けられている。間隙部１２ａは刃部１１ａの進行方向前方に設けられている点は実施例１と同様である。
【００３４】
図４は、うろこが薄板刃１０ａと飛散遮蔽板２０ａの間を通りうろこ抜け開口部３０から抜け出るまでの動きを模式的に示す図である。図４も図２同様、うろこの動きが分かりやすいように刃部１１と間隙１２が分かりやすいよう横断面の端面図で模式的に示している。正面方向から見た方向で描いた。また、把持部との関係が分かりやすいようにグリップ４１は描いている。魚の体表面から刃部１１ａにより剥がされたうろこは間隙１２ａから薄板刃１０ａの上面側に入り、飛散遮蔽板２０により上方への移動が制限され、うろこ取り具全体の移動も相まって後方に移動し、うろこ抜き開口部３０から抜け出るように移動する。うろこの動きを以上の流れに制御することにより、うろこが飛散することなく、かつ、利用者の平面視において刃部１１ａ付近にうろこが溜まって視界を遮ることもなくなる。
【００３５】
なお、実施例２の構成例では、魚のうろこを剥ぎ取るにあたり、刃部１１ａを魚の体表面に当てる角度を調整することができる。図４に示す例では魚の体表面に当てる角度を大きくしてうろこを取っている。
【実施例３】
【００３６】
実施例３として本発明の第３のうろこ取り具の構成例を示す。
図５は、本発明の第３のうろこ取り具１００ｂの構成例を示した図である。図５は刃部１１ｂと間隙１２ｂのみを取り出して示している。他の構成要素の図示は省略している。本発明の第３のうろこ取り具１００ｂの構成は、刃部１１ｂを除いた薄板刃１０ｂ、飛散遮蔽板２０、うろこ抜け開口部３０、把持部４０は同様の構成でよく、例えば図１に示したものと同様の形状である。
【００３７】
実施例３の刃部１１ａは、その一部が平刃であり残りの部分がのこぎり刃となっている。一つの刃先で多様な部位のうろこ取りに対応できる。たとえばのこぎり刃は硬いうろこ用、平刃は柔らかいうろこ用として使い分けることにより効率よくうろこ取り作業を行うことができる。
魚のうろこは魚の種類、部位によりその硬さなどがまちまちである。のこぎり刃によって所謂“ぜいご”の部分や魚の頭・鰓の近くなどの部分にある硬いうろこを効率的にとることができ、また平刃によって比較的柔らかいうろこを効率的にとることができる。
【実施例４】
【００３８】
実施例４として本発明の第４のうろこ取り具の構成例を示す。
図６は、本発明の第４のうろこ取り具１００ｃの構成例を示した図である。６面図で示している。この構成例でも飛散遮蔽板２０は透明素材で製作されている。なお付番の“１００ｃ”は図示していないがうろこ取り具全体を指している。
本発明の第４のうろこ取り具１００ｃの構成は、薄板刃１０ｃが刃部１１と第２の刃部１１ｃを備えている。第２の刃部１１ｃの設ける位置はどこでも良く、また、種類として平刃であっても良くまたのこぎり刃であっても良い。この例では薄板刃１０ｃの最後部位置にのこぎり刃が設けられている例である。
第１の刃部１１の後方に第２の刃部１１ｃを設けているので、いわゆる二枚刃としてより一層うろこ除去を確実に行うことができる。
【実施例５】
【００３９】
実施例５として本発明の第５のうろこ取り具の構成例を示す。
図７は、本発明の第５のうろこ取り具１００ｄの構成例を示した図である。図７は刃部１１ｄと間隙１２ｄのみを取り出して示している。他の構成要素の図示は省略している。本発明の第５のうろこ取り具１００ｄの構成は、実施例１などに示した薄板部１０の刃部１１と間隙１２と飛散遮蔽板２０とうろこ抜き開口部３０の構成を２セット設けており、把持部４０の軸方向に対して略直角方向を進行方向とした場合でも把持部４０の軸方向と略平行方向を進行方向とした場合でも対応できるようにしたものである。
【００４０】
図７に示したように、本発明の第５のうろこ取り具１００ｄは、実施例１と同様、把持部４０の軸方向に対して略直角の進行方向（進行方向１と図示した）に対応する、薄板部１０の刃部１１と間隙１２と飛散遮蔽板２０とうろこ抜き開口部３０が設けられている。また、それらと略直角になるように薄板部１０の第２の刃部１１ｄと第２の間隙１２ｄと第２の飛散遮蔽板２０ｄと第２のうろこ抜き開口部３０ｄが設けられており、把持部４０の軸方向と略平行の進行方向（進行方向２と図示した）に対応するものである。魚の形状や大きさに応じて刃部１１の長さが短い方がうろこを取りやすい場合があり、また、把持部４０を介した操作において、把持部４０の軸方向に対して略直角の進行方向１とした方が扱いやすい場合、把持部４０の軸方向と略平行の進行方向２とした方が扱いやすい場合があり、どちらかを選びつつ行うことが可能となる。
【実施例６】
【００４１】
実施例６として本発明の第６のうろこ取り具の構成例を示す。
図８は、本発明の第６のうろこ取り具１００ｅの構成例を示した図である。飛散遮蔽板２０ｅの底面が分かりやすいようにスペーサ４３を除いて６面図により示した。
実施例６の第６のうろこ取り具の構成例は、飛散遮蔽板２０ｅが薄板刃１０に対して角度を持ち、うろこが突き当たって進行方向に対して抜け出る方向を制御せしめたものである。
【００４２】
図８に示した構成例では、飛散遮蔽板２０ｅの底面の角度を把持部４０の手前側に向けて高くなるように角度を付けて設けた例である。
うろこ抜き開口部３０は飛散遮蔽板２０ｅに突き当たったうろこが利用者手前側に抜け出やすいように飛散遮蔽板２０ｅの利用者手前側の側部まで設けられている例となっている。
【００４３】
実施例１などに示した手順と同様、うろこを取る作業において、刃部１１でうろこを剥がした場合に、間隙１２からうろこが上方に飛散して飛散遮蔽板２０ｅに突き当たるが、飛散遮蔽板２０ｅの底面に角度がついているため、跳ね返る方向が制御される。図８の例では、飛散遮蔽板２０ｅの底面角度が把持部のグリップ４１手前側に向けて高くなるように角度が付いているので、図９に示したように飛散遮蔽板２０ｅに突き当たったうろこはグリップ４１の手前側に跳ね返りやすくなり、うろこが利用者手前側の側方のうろこ抜き開口部３０から抜け出やすくなる。なお、図９においてもうろこの動きが図示しやすいようにスペーサ４３の図示は省略している。
なお、図８、図９に示した例では飛散遮蔽板２０ｅの底面角度がグリップ４１手前側に向けて高くなるように角度が付いているが、他の方向に角度を付けることが可能であることは言うまでもない。例えば、飛散遮蔽板２０ｅの底面の角度が進行方向に対して後方側に向けて高くなるように角度を付けておけば、うろこがより後方側に跳ねやすくなりうろこを後方側のうろこ抜き開口部３０から抜き出しやすくなる。
【００４４】
図１０は、うろこが薄板刃１０と飛散遮蔽板２０ｅの間を通りうろこ抜け開口部３０から抜け出るまでの動きを模式的に示す図である。図２、図４と同様、うろこの動きと刃部１１と間隙１２が分かりやすいよう横断面の端面図で模式的に示している。正面方向から見た方向で描いている。また、把持部との関係が分かりやすいようにグリップ４１は描いている。魚の体表面から刃部１１により剥がされたうろこは間隙１２から薄板刃１０の上面側に入り、飛散遮蔽板２０ｅにより上方への移動が制限され、また、突き当たる角度が調整されており、うろこ取り具全体の移動も相まって後方に移動し、うろこ抜き開口部３０から抜け出るように移動する。飛散遮蔽板２０ｅの底面の角度により、より後方に向けて抜けやすく調整されている。
【００４５】
以上、本発明の釣り針における好ましい実施形態を図示して説明してきたが、本発明の技術的範囲を逸脱することなく種々の変更が可能であることは理解されるであろう。
【産業上の利用可能性】
【００４６】
本発明は、魚の体表面を掻いてうろこを周囲に飛散させずにうろこをそぎ取るうろこ取り具に適用することができる。
【図面の簡単な説明】
【００４７】
【図１】本発明の第１のうろこ取り具１００の構成例を示す６面図
【図２】うろこが薄板刃１０と飛散遮蔽板２０の間を通りうろこ抜け開口部３０から抜け出るまでの動きを模式的に示す図
【図３】本発明の第２のうろこ取り具１００ａの構成例を示した６面図
【図４】うろこが薄板刃１０ａと飛散遮蔽板２０ａの間を通りうろこ抜け開口部３０から抜け出るまでの動きを模式的に示す図
【図５】本発明の第３のうろこ取り具１００ｂの構成例を示した図
【図６】本発明の第４のうろこ取り具１００ｃの構成例を示した図
【図７】本発明の第５のうろこ取り具１００ｄの構成例を示した６面図
【図８】本発明の第６のうろこ取り具１００ｅの構成例を示した６面図
【図９】うろこが飛散遮蔽板２０ｅにより利用者手前方向に向けて抜け出る様子を模式的に示した図
【図１０】うろこが飛散遮蔽板２０ｅにより進行方向後方に向けて抜け出る様子を模式的に示した図
【図１１】実用新案登録第３０３２４９０号公報の構成例を示す図
【図１２】特開２００２−２８２１４０号公報の構成例を示す図
【図１３】特開２００６−１７５０８５号公報の構成例を示す図
【図１４】特開２００２−３２０４４１号公報の構成例を示す図
【図１５】実用新案登録第３０７６９１８号公報の構成例を示す図
【符号の説明】
【００４８】
１０  薄板刃
１１  刃部
１２  間隙
２０  飛散遮蔽板
３０  うろこ抜き開口部
４０  把持部
１００  うろこ取り具
【図１】
2007301352.tif 000003
【図２】
2007301352.tif 000004
【図３】
2007301352.tif 000005
【図４】
2007301352.tif 000006
【図５】
2007301352.tif 000007
【図６】
2007301352.tif 000008
【図７】
2007301352.tif 000009
【図８】
2007301352.tif 000010
【図９】
2007301352.tif 000011
【図１０】
2007301352.tif 000012
【図１１】
2007301352.tif 000013
【図１２】
2007301352.tif 000014
【図１３】
2007301352.tif 000015
【図１４】
2007301352.tif 000016
【図１５】
2007301352.tif 000017